【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
撮影レンズを覆う閉位置から撮影レンズが露呈される方向に回動自在なレンズカバーと、
前記レンズカバーを前記撮影レンズの光軸と直交する面内で回動自在に支持する回動軸と、
前記回動軸が前記閉位置の他に予め決められた複数の位置のいずれかに停止したことを検知して、検知した前記回動軸の停止位置に基づいて前記レンズカバーの停止位置を検知する位置検知手段と、
を備え、
前記位置検知手段によって検知される前記レンズカバーの停止位置に、それぞれに異なる動作モードが設定されたことを特徴とするデジタルカメラ。
【請求項２】
前記撮影レンズが前面に設けられたカメラボディの背面に画像表示パネルが設けられ、前記レンズカバーが前記閉位置から回動されたときの最初の停止位置には、撮影済画像を前記画像表示パネルに表示する再生モードが設定されることを特徴とする請求項１記載のデジタルカメラ。
【請求項３】
前記レンズカバーが前記最初の停止位置にあるときは、前記撮影レンズに入射する有効光の少なくとも一部が前記レンズカバーによって遮られることを特徴とする請求項２記載のデジタルカメラ。
【請求項４】
前記レンズカバーの最大回動位置における前記動作モードは、静止画撮影モードであることを特徴とする請求項１〜３いずれか記載のデジタルカメラ。
【請求項５】
前記再生モードが設定される停止位置と、前記静止画撮影モードが設定される最大回動位置との間には、動画撮影モードが設定される停止位置が設けられたことを特徴とする請求項４記載のデジタルカメラ。
【請求項６】
前記レンズカバーは、所定の回動位置に回動させたときに上下左右にスライド自在になり、それぞれのスライド方向への移動により４種類の操作信号が得られることを特徴とする請求項１〜５いずれか記載のデジタルカメラ。
【請求項７】
前記レンズカバーは、前記最大回動位置では右手グリップ部に位置し、グリップされたときに右手指の指係りとなることを特徴とする請求項１〜６いずれか記載のデジタルカメラ。
【請求項８】
前記レンズカバーを回動自在に支持する回動軸と、前記レンズカバーを前記撮影レンズの光軸と垂直な面で互いに直交する２つの方向に僅かに移動可能にそれぞれ保持する２つのスライダと、前記スライダを自己復帰させるバネと、前記レンズカバーが前記光軸と垂直な面内で移動されたときにオンするスイッチとからなり、前記レンズカバーの操作によってオンする十字キースイッチ機構を備え、
前記レンズカバーが前記最初の停止位置にあるときに操作されて前記十字キースイッチ機構がオンするとメニューの設定が行われ、前記静止画撮影モード又は動画撮影モードが設定される停止位置にあるときに操作されると撮影レンズのズーミングが行われることを特徴とする請求項７記載のデジタルカメラ。
【請求項９】
前記撮影レンズはズームレンズであって、
前記レンズカバーは、前記閉位置と、前記撮影レンズを露呈する第１の開位置と、第１の開位置より更に回動した第２の開位置とを有し、前記閉位置から前記第２の開位置の間で回動自在に軸支され、
前記位置検知手段は、前記第１の開位置と第２の開位置の間における前記レンズカバーの回動角を検知して、前記レンズカバーの位置情報として出力し、
前記位置検知手段の出力する位置情報によって、前記撮影レンズのズーミングが行われることを特徴とする請求項１記載のデジタルカメラ。
【請求項１０】
前記第１の開位置及び第２の開位置は、前記ズーミングのワイド端及びテレ端であることを特徴とする請求項９記載のデジタルカメラ。
【手続補正２】
【補正対象書類名】明細書
【補正対象項目名】０００２
【補正方法】変更
【補正の内容】
【０００２】
デジタルカメラは、スルー画画像あるいは撮影した画像を表示したり、撮影条件の選択や設定のための表示を行うＬＣＤパネルを背面に備えているが、デジタルカメラの背面にはＬＣＤパネルの他に多くの操作ボタンが設けられている。近年、このＬＣＤパネルの大型化が進み、背面のスペースの殆どをＬＣＤパネルが占めるようになり、操作ボタンを設けるためにカメラ本体を大きくしなければならないといった問題が生じている。そこで、撮影レンズを汚れや傷から保護するレンズカバーにスイッチを設けて、操作ボタンの削減を試みる提案もなされている。例えば、下記特許文献１には、退避させたレンズカバーをレンズ鏡筒の側壁に収納することでメインスイッチがオンするようにした構造が開示されている。また、カプセルタイプと呼ばれるカメラは、レンズカバーをスライドすると、撮影レンズの露呈と伴に電源スイッチが入って撮影が可能な状態となる。下記特許文献２には、レンズカバーの開閉で電源をオン／オフさせるデジタルカメラが記載されている。下記特許文献３には、レンズカバーのオーバーストロークを利用してズームレンズ駆動用のズームスイッチをオン／オフさせる構造が記載されている。
【特許文献１】特開平１１−１８３９６５号公報
【特許文献２】特開平１１−２１５４１４号公報
【特許文献３】特開平０９−１９７４７９号公報
【手続補正３】
【補正対象書類名】明細書
【補正対象項目名】０００８
【補正方法】変更
【補正の内容】
【０００８】
前記レンズカバーは、前記最大回動位置では右手グリップ部に位置し、グリップされたときに右手指の指係りとなるようにすると良い。この場合も、前記レンズカバーは、所定の回動位置に回動させたときに上下左右にスライド自在になり、それぞれのスライド方向への移動により４種類の操作信号が得られるようにすると良く、前記レンズカバーを回動自在に支持する回動軸と、前記レンズカバーを前記撮影レンズの光軸と垂直な面で互いに直交する２つの方向に僅かに移動可能にそれぞれ保持する２つのスライダと、前記スライダを自己復帰させるバネと、前記レンズカバーが前記光軸と垂直な面内で移動されたときにオンするスイッチとからなり、前記レンズカバーの操作によってオンする十字キースイッチ機構を備え、前記レンズカバーが前記最初の停止位置にあるときに操作されたときにはメニューの設定が行われ、前記静止画撮影モード又は動画撮影モードが設定される停止位置にあるときに操作されたときには撮影レンズのズーミングが行われるようにすると良い。
【手続補正４】
【補正対象書類名】明細書
【補正対象項目名】０００９
【補正方法】変更
【補正の内容】
【０００９】
前記撮影レンズはズームレンズであって、前記レンズカバーは、前記閉位置と、前記撮影レンズを露呈する第１の開位置と、第１の開位置より更に回動した第２の開位置とを有し、前記閉位置から前記第２の開位置の間で回動自在に軸支され、前記位置検知手段は、前記第１の開位置と第２の開位置の間における前記レンズカバーの回動角を検知して、前記レンズカバーの位置情報として出力し、前記位置検知手段の出力する位置情報によって、前記撮影レンズのズーミングが行われるようにしても良い。前記第１の開位置及び第２の開位置を、前記ズーミングのワイド端及びテレ端とすると良い。
【手続補正５】
【補正対象書類名】明細書
【補正対象項目名】００１２
【補正方法】変更
【補正の内容】
【００１２】
図４に示すように、カメラ本体１３の背面には、画像を表示するＬＣＤパネル（画像表示パネル）２０が設けられ、スルー画画像、再生画像、及び各種設定画面等を表示する。前記カメラ本体１３の背面には、前記ＬＣＤパネル以外に何も配置されていないので、前記ＬＣＤパネルは、前記カメラ本体１３の背面側の略全体に亘ってスペースをフルに使用し大画面を構成している。カメラ本体１３の側面には、スロット２２が設けられている。このスロット２２には、画像データが記録されるメモリカード２３が着脱自在に装填される。メモリカード２３には撮影された画像データが書き込まれて保存される。